【手続補正書】
【提出日】平成25年5月30日(2013.5.30)
【手続補正１】
【補正対象書類名】特許請求の範囲
【補正対象項目名】全文
【補正方法】変更
【補正の内容】
【特許請求の範囲】
【請求項１】
第１の文書から第２の文書を生成する生成手段と、
前記第１の文書の格納場所でごみ箱機能を利用できるか否かを判断する判断手段と、
前記生成手段が前記第１の文書から前記第２の文書を生成してかつ前記判断手段が前記第１の文書の格納場所で前記ごみ箱機能を利用できると判断した場合に前記第１の文書をごみ箱に移動する移動手段と、を有することを特徴とする情報処理装置。
【請求項２】
前記判断手段が前記第１の文書の格納場所で前記ごみ箱機能を利用できると判断した場合に、前記第１の文書を前記ごみ箱に移動するか否かの選択をユーザから受け付ける受付手段と、を有し、
前記受付手段が前記第１の文書を前記ごみ箱に移動する選択をユーザから受け付けた場合に前記移動手段は前記第１の文書をごみ箱に移動して、前記受付手段が前記第１の文書を前記ごみ箱に移動しない選択をユーザから受け付けた場合に前記第１の文書はごみ箱に移動されないことを特徴とする請求項１に記載の情報処理装置。
【請求項３】
前記判断手段が前記第１の文書の格納場所で前記ごみ箱機能を利用できないと判断した場合に、前記第１の文書を完全に削除するか否かの選択をユーザから受け付ける第２の受付手段と、
前記第２の受付手段が前記第１の文書を完全に削除する選択をユーザから受け付けた場合に前記第１の文書を完全に削除する削除手段と、を有し、
前記第２の受付手段が前記第１の文書を完全に削除しない選択をユーザから受け付けた場合に前記第１の文書は削除されないことを特徴とする請求項１又は請求項２に記載の情報処理装置。
【請求項４】
前記生成手段は、前記第１の文書を変換するか又は前記第１の文書と第３の文書を結合することによって前記第２の文書を生成するか、あるいは前記第１の文書を前記第２の文書と第４の文書に分割することによって前記第２の文書を生成することを特徴とする請求項１乃至３のいずれか１項に記載の情報処理装置。
【請求項５】
前記第２の文書の文書名と他の文書の文書名が重複するか否かを判断する第２の判断手段と、を有し、
前記生成手段は、前記第２の判断手段が前記第２の文書の文書名と前記他の文書の文書名が重複すると判断した場合に、前記第２の文書の文書名が前記他の文書の文書名が重複しないように前記第２の文書を生成することを特徴とする請求項１乃至４のいずれか１項に記載の情報処理装置。
【請求項６】
前記生成手段は前記第１の文書を前記第２の文書と第４の文書に分割することによって前記第２の文書を生成して、
前記移動手段が前記ごみ箱に移動した前記第１の文書を前記第１の文書の元の格納場所に戻した場合に、前記第２の文書と前記第４の文書を削除する第２の削除手段と、を有することを特徴とする請求項１乃至３及び請求項５のいずれか１項に記載の情報処理装置。
【請求項７】
前記生成手段は前記第１の文書を前記第２の文書と第４の文書に分割することによって前記第２の文書を生成して、
前記移動手段が前記ごみ箱に移動した前記第１の文書を前記第１の文書の元の格納場所に戻した場合に、前記第２の文書と前記第４の文書を削除する第２の削除手段と、を有することを特徴とする請求項１乃至３及び請求項５のいずれか１項に記載の情報処理装置。
【請求項８】
コンピュータに、
第１の文書から第２の文書を生成する生成工程と、
前記第１の文書の格納場所でごみ箱機能を利用できるか否かを判断する判断工程と、
前記生成工程で前記第１の文書から前記第２の文書を生成してかつ前記判断工程で前記第１の文書の格納場所で前記ごみ箱機能を利用できると判断した場合に前記第１の文書をごみ箱に移動する移動工程と、を実行させることを特徴とするプログラム。
【請求項９】
前記コンピュータに、
前記判断工程で前記第１の文書の格納場所で前記ごみ箱機能を利用できると判断した場合に、前記第１の文書を前記ごみ箱に移動するか否かの選択をユーザから受け付ける受付工程と、を実行させ、
前記受付工程で前記第１の文書を前記ごみ箱に移動する選択をユーザから受け付けた場合に前記移動工程は前記第１の文書をごみ箱に移動して、前記受付工程で前記第１の文書を前記ごみ箱に移動しない選択をユーザから受け付けた場合に前記第１の文書はごみ箱に移動されないことを特徴とする請求項８に記載のプログラム。
【請求項１０】
前記コンピュータに、
前記判断工程で前記第１の文書の格納場所で前記ごみ箱機能を利用できないと判断した場合に、前記第１の文書を完全に削除するか否かの選択をユーザから受け付ける第２の受付工程と、
前記第２の受付工程で前記第１の文書を完全に削除する選択をユーザから受け付けた場合に前記第１の文書を完全に削除する削除工程と、を実行させ、
前記第２の受付工程で前記第１の文書を完全に削除しない選択をユーザから受け付けた場合に前記第１の文書は削除されないことを特徴とする請求項８又は請求項９に記載のプログラム。
【請求項１１】
前記生成工程は、前記第１の文書を変換するか又は前記第１の文書と第３の文書を結合することによって前記第２の文書を生成するか、あるいは前記第１の文書を前記第２の文書と第４の文書に分割することによって前記第２の文書を生成することを特徴とする請求項８乃至１０のいずれか１項に記載のプログラム。
【請求項１２】
前記コンピュータに、
前記第２の文書の文書名と他の文書の文書名が重複するか否かを判断する第２の判断工程と、を実行させ、
前記生成工程は、前記第２の判断工程で前記第２の文書の文書名と前記他の文書の文書名が重複すると判断した場合に、前記第２の文書の文書名が前記他の文書の文書名が重複しないように前記第２の文書を生成することを特徴とする請求項８乃至１１のいずれか１項に記載のプログラム。
【請求項１３】
前記コンピュータに、
前記生成工程は前記第１の文書を前記第２の文書と第４の文書に分割することによって前記第２の文書を生成して、
前記移動工程で前記ごみ箱に移動した前記第１の文書を前記第１の文書の元の格納場所に戻した場合に、前記第２の文書と前記第４の文書を削除する第２の削除工程と、を実行させることを特徴とする請求項８乃至１０及び請求項１２のいずれか１項に記載のプログラム。
【請求項１４】
前記コンピュータに、
前記生成工程は前記第１の文書を前記第２の文書と第４の文書に分割することによって前記第２の文書を生成して、
前記移動工程で前記ごみ箱に移動した前記第１の文書を前記第１の文書の元の格納場所に戻した場合に、前記第２の文書と前記第４の文書を削除する第２の削除工程と、を実行させることを特徴とする請求項８乃至１０及び請求項１２のいずれか１項に記載のプログラム。
【請求項１５】
第１の文書から第２の文書を生成する生成工程と、
前記第１の文書の格納場所でごみ箱機能を利用できるか否かを判断する判断工程と、
前記生成工程で前記第１の文書から前記第２の文書を生成してかつ前記判断工程で前記第１の文書の格納場所で前記ごみ箱機能を利用できると判断した場合に前記第１の文書をごみ箱に移動する移動工程と、を有することを特徴とする制御方法。
【手続補正２】
【補正対象書類名】明細書
【補正対象項目名】０００６
【補正方法】変更
【補正の内容】
【０００６】
上述した課題を解決するために本発明が提供する情報処理装置は、
第１の文書から第２の文書を生成する生成手段と、
前記第１の文書の格納場所でごみ箱機能を利用できるか否かを判断する判断手段と、
前記生成手段が前記第１の文書から前記第２の文書を生成してかつ前記判断手段が前記第１の文書の格納場所で前記ごみ箱機能を利用できると判断した場合に前記第１の文書をごみ箱に移動する移動手段と、を有することを特徴とする。
【手続補正３】
【補正対象書類名】明細書
【補正対象項目名】００４８
【補正方法】変更
【補正の内容】
【００４８】
なお、図６の処理でステップ６０７、６０８、６０９、６１０、６１２の処理を省略し、ステップ６０６でごみ箱機能を持つと判別された場合、ステップ６１３に進み、ごみ箱機能を持たないと判別された場合、ステップ６１１に進むようにしてもよい。